(57)【特許請求の範囲】
【請求項１】
建物の基礎の内部に基礎挿通排水管が挿通され、排水をこの基礎挿通排水管により屋内から屋外に導く排水管路であって、
前記基礎挿通排水管の所定の寸法より大きい内径を有して前記屋内と前記屋外に開口しかつ連通する貫通部を前記基礎に設け、
前記基礎に設けられた前記貫通部は、前記基礎に形成された貫通孔と、この貫通孔内に設けられ、前記基礎挿通排水管の前記所定寸法より大きい内径を有して前記屋内と前記屋外に開口しかつ連通するボイド管とにより構成され、
前記基礎の前記貫通孔は、前記建物の前記屋内でかつ前記基礎の上面に開口する縦孔と、この縦孔に連通し、前記建物の前記屋外でかつ前記基礎の外側面に開口する横孔とにより構成され、
前記ボイド管は、前記縦孔に設けられて前記屋内に開口する縦ボイド管と、前記横孔に設けられ、前記縦ボイド管に連通し前記屋外に開口する横ボイド管とにより構成され、
前記基礎挿通排水管における管継手は、その入口部，出口部の一方にシールリングを有し、
前記基礎挿通排水管は、前記シールリング付きの管継手の入口側または出口側が装着固定され前記縦ボイド管および前記横ボイド管のいずれか一方の内部に挿入離脱可能に配設された第１の管と、前記縦ボイド管および前記横ボイド管のいずれか他方の内部に挿入離脱可能に配設され、前記シールリングでシールされた状態で前記管継手の前記出口側または前記入口側に係合離脱可能に係合する第２の管とにより構成されていることにより、
前記貫通部を挿通している前記基礎挿通排水管を補修，交換可能にしたことを特徴とする建物の基礎における排水管路。
【発明の詳細な説明】
【０００１】
【発明の属する技術分野】
本発明は、建物の基礎における排水管路にかかり、特に、建物の基礎の内部に基礎挿通配管が挿通され、排水をこの基礎挿通配管により屋内から屋外に導くようにした排水管路に関する。
【０００２】
【従来の技術】
住宅の風呂，台所の流し台，洗面所，洗濯機，トイレなど排水発生源から排出される排水は、屋内と屋外の排水流入管を流れ、複数の流れの合流地点に設置された宅内桝で合流したのち排水主管を流れる。
次いで、排水は、宅地内または宅地外に設置された公共桝と、公共桝に接続された排水流出管とを流れた後、宅地外の公共の下水道本管に流れ込む。
【０００３】
図８は、従来の排水管路を示す正面断面図である。
図８に示す排水管路１においては、住宅２の風呂など排水発生源から排出される排水３は、住宅２の屋内４に配設され屋外５の地中に埋設された排水流入管６を流れ、次いで、排水発生源毎に設けられ合流地点７に設置された宅内桝８で合流した後、排水主管を流れるようになっている。
排水流入管６は、住宅２の基礎９の内部を挿通する基礎挿通排水管１０を有している。排水３は、基礎９に埋設された基礎挿通排水管１０を通って屋内４から屋外５に導かれるようになっている。
【０００４】
【発明が解決しようとする課題】
排水管路１のうちたとえば排水流入管６の補修，交換を行う場合、従来は、基礎挿通排水管１０が基礎９に直接埋設されているので、基礎挿通排水管１０の補修，交換のためには、基礎９を壊さなければならないという課題があった。
【０００５】
本発明は、このような課題を解決するためになされたもので、排水管路の基礎挿通排水管が建物の基礎の内部を挿通している場合に、この基礎を壊すことなく基礎挿通排水管を容易に補修，交換することができる建物の基礎における排水管路を提供することを目的とする。
【０００６】
【課題を解決するための手段】
上述の目的を達成するため、本発明にかかる建物の基礎における排水管路は、建物の基礎の内部に基礎挿通排水管が挿通され、排水をこの基礎挿通排水管により屋内から屋外に導く排水管路であって、前記基礎挿通排水管の所定の寸法より大きい内径を有して前記屋内と前記屋外に開口しかつ連通する貫通部を前記基礎に設け、前記基礎に設けられた前記貫通部は、前記基礎に形成された貫通孔と、この貫通孔内に設けられ、前記基礎挿通排水管の前記所定寸法より大きい内径を有して前記屋内と前記屋外に開口しかつ連通するボイド管とにより構成され、前記基礎の前記貫通孔は、前記建物の前記屋内でかつ前記基礎の上面に開口する縦孔と、この縦孔に連通し、前記建物の前記屋外でかつ前記基礎の外側面に開口する横孔とにより構成され、前記ボイド管は、前記縦孔に設けられて前記屋内に開口する縦ボイド管と、前記横孔に設けられ、前記縦ボイド管に連通し前記屋外に開口する横ボイド管とにより構成され、前記基礎挿通排水管における管継手は、その入口部，出口部の一方にシールリングを有し、前記基礎挿通排水管は、前記シールリング付きの管継手の入口側または出口側が装着固定され前記縦ボイド管および前記横ボイド管のいずれか一方の内部に挿入離脱可能に配設された第１の管と、前記縦ボイド管および前記横ボイド管のいずれか他方の内部に挿入離脱可能に配設され、前記シールリングでシールされた状態で前記管継手の前記出口側または前記入口側に係合離脱可能に係合する第２の管とにより構成されていることにより、前記貫通部を挿通している前記基礎挿通排水管を補修，交換可能にしている。
【０００７】
【発明の実施の形態】
以下、本発明にかかる実施の形態の一例を、図１ないし図７を参照して説明する。
（第１の実施形態）
図１ないし図５は本発明の第１の実施形態を示す図で、図１は、第１の実施形態にかかる排水管路を示す正面断面図、図２は、図１のII−II線平面図、図３は、前記排水管路の施工手順を示す正面断面図である。
図１ないし図３に示すように、建物としての住宅１５の風呂，台所の流し台，洗面所，洗濯機およびトイレなど排水発生源からは、排水１６が排出される。排水１６は、排水発生源毎に接続された排水流入管１７を流れて、合流地点１８で排水主管１９に合流する。
【０００８】
合流地点１８には、宅内桝（排水桝）２０が排水発生源毎に設置されている。宅内桝２０は、宅地内に設置され各種構造のインバート部を有する桝のことである。公共桝は、宅地内または宅地外に設置されて、宅地内の排水を宅地外の下水道本管に流し込むための最終の桝のことである。公共桝，取付け桝と呼ばれる排水桝も宅内桝の一種で、一般的には全て排水桝と呼ばれているものである。
排水流入管１７は、住宅１５の基礎２１の内部を挿通する基礎挿通排水管２２と、排水発生源と基礎挿通排水管２２の入口側との間に接続されて、住宅１５の屋内２３に設けられる屋内配管２４と、基礎挿通排水管２２の出口側と宅内桝である排水桝２０との間に接続され、屋外２５では地中に埋設される埋設配管２６とを有している。排水桝２０には、排水流入管１７，上流側の排水主管１９および下流側の排水主管１９が接続されている。
【０００９】
図示する排水管路２７では、住宅１５の風呂および台所の流し台など排水発生源から排出される排水１６は、排水流入管１７を流れ、排水流入管１７の基礎挿通排水管２２により屋内２３から屋外２５に導かれるようになっている。「屋外」とは、住宅１５より外部であって、地面ＧＬより上方の空間のほか、地面ＧＬより下方の地中も含む。
そして、排水１６は、排水流入管１７から排水桝２０に流入する。排水桝２０を通って排水主管１９を流れた排水１６は、宅地内または宅地外に設置された公共桝を通った後、公共桝に接続された排水流出管を流れて、宅地外の公共の下水道本管に合流する。下水道本管は、宅地外の道路等の地下深くに埋設されている。
排水流入管１７，排水桝２０，排水主管１９，公共桝，排水流出管，公共の下水道本管などにより、排水管路２７が構成されている。排水管路２７は、排水１６をスムースに自然流下させるために所定の勾配を有しており、排水流入管１７の埋設配管２６以下の下流側は地中に埋設されている。
【００１０】
次に、住宅１５の基礎２１における排水管路２７について説明する。
本発明の排水管路２７では、貫通部３０を基礎２１に設けている。貫通部３０は、貫通部３０を挿通している基礎挿通排水管２２の所定の寸法Ｂ1，Ｂ2よりそれぞれ大きい内径Ｄ1，Ｄ2を有して、屋内２３と屋外２５に開口しかつ連通している。これにより、貫通部３０を挿通している基礎挿通排水管２２を補修，交換可能にしている。
基礎２１に設けられた貫通部３０は、基礎２１に形成された貫通孔３１と、貫通孔３１内に設けられた中空のボイド管３２とにより構成されている。ボイド管３２は、基礎挿通排水管２２の所定の寸法Ｂ1，Ｂ2よりそれぞれ大きい内径Ｄ1，Ｄ2を有して、屋内２３と屋外２５に開口しかつ連通している。なお、貫通部３０は、基礎２１に形成された貫通孔のみにより構成され、ボイド管を有していない場合であってもよい。
【００１１】
基礎２１の貫通孔３１は、住宅１５の屋内２３でかつ基礎２１の上面３３に開口する縦孔３４と、縦孔３４に連通し、住宅１５の屋外２５でかつ基礎２１の外側面３５に開口する横孔３６とにより構成されている。
縦孔３４が基礎２１の鉄筋コンクリート部の下面３７まで形成された場合を示しているが、縦孔３４は横孔３６と連通していればよいので、縦孔３４の底部が基礎２１のコンクリート部下面３７より上方に位置していてもよい。
ボイド管３２は、縦孔３４に設けられて屋内２３に開口する縦ボイド管３８と、横孔３６に設けられ、縦ボイド管３８に連通し屋外２５に開口する横ボイド管３９とにより構成されている。
ボイド管３２は、所定の剛性（強度）を有する紙により構成されているが、ポリ塩化ビニル，ポリエチレン，ポリプロピレン，繊維強化プラスチック（ＦＲＰ）など硬質の合成樹脂，または鉄など金属を材料として、一体成形されている場合でもよい。
【００１２】
本発明では、基礎２１の内部を挿通する基礎挿通排水管は、シールリング４５付きの管継手が取付けられ縦ボイド管および横ボイド管のいずれか一方の内部に挿入離脱可能に配設された第１の管と、縦ボイド管および横ボイド管のいずれか他方の内部に挿入離脱可能に配設され、シールリング４５でシールされた状態で管継手に係合離脱可能に係合する第２の管とにより構成されている。
そこで、本実施形態の基礎挿通排水管２２は、第１の管としての縦管４７と、第２の管としての横管４８とを有している。縦管４７の先端部には、シールリング４５付きの管継手としての９０度エルボ（以下、エルボと記載）４６が取付けられ、縦管４７は、縦ボイド管３８の内部に挿入離脱可能に配設されている。なお、シールリング付きの管継手は、曲率半径の大きいベンドなどであってもよい。
横管４８は、横ボイド管３９の内部に配設され、シールリング４５でシールされた状態でエルボ４６に係合離脱可能に係合している。エルボ４６の入口側は上方を向いており、この入口側に縦管４７の直管５０が縦方向（垂直方向）を向いて装着固定されている。エルボ４６の出口側は横方向（水平方向）を向いており、出口側の内面にシールリング４５が設けられている。シールリング４５には、ゴム製のＯリングなどが使用されている。
縦管４７の上部には、９０度エルボ４９を介して屋内配管２４が接続され、横管４８の出口側には埋設配管２６が接続されている。なお、横管４８を延長した部分が埋設配管２６を構成する場合であってもよい。
【００１３】
基礎挿通排水管２２の所定寸法Ｂ1は、エルボ４６を含んだ縦管４７の水平方向の最大寸法であり、所定寸法Ｂ2は、横管４８の外径寸法である。貫通部３０の内径Ｄ1は、縦ボイド管３８の内径寸法であり、内径Ｄ2は、横ボイド管３９の内径寸法である。
縦孔３４が横孔３６より大きい内径を有しているので、縦孔３４に設けられる縦ボイド管３８の内径Ｄ1を大きくし、横孔３６に設けられる横ボイド管３９の内径Ｄ2を小さくしている。
【００１４】
次に、排水管路２７の施工手順を説明する。
図３に示すように、コンクリートを打設して住宅１５の基礎２１を施工する際に、ボイド管３２を予め基礎の所定位置にセットしておく。次いで、コンクリートを流し込めば、屋内２３と屋外２５に開口しかつ連通する貫通部３０を有する基礎２１が形成されることになる。
その後、基礎２１における排水管路２７を施工する場合には、直管５０にシールリング４５付きエルボ４６を装着固定して縦管４７を構成した後、縦管４７を縦ボイド管３８の内部に挿入する。
このとき、縦管４７の横方向の所定寸法Ｂ1は、縦ボイド管３８の内径Ｄ1より小さいので、エルボ４６を含む縦管４７を縦ボイド管３８の内部に挿入することができる。
次いで、エルボ４６の出口部５１の方向と高さ位置を、横ボイド管３９の位置にほぼ一致させる。次いで、横管４８を横ボイド管３９の出口側（すなわち、基礎２１の外側面３５側）から横ボイド管３９の内方に挿入する。
そして、横管４８の先端部（入口部）５３を、エルボ４６の出口部５１に装着する。その結果、エルボ４６と横管４８との間は、シールリング４５によりシールされるので、排水１６が漏れることはない。このような施工手順により、図１に示すような排水管路２７を構成することができる。
【００１５】
このような排水管路２７の排水流入管１７では、風呂など排水発生源から排出された排水１６は、屋内配管２４，縦管４７，横管４８および埋設配管２６を通った後、排水桝２０に流入することになる。
基礎２１の内部を挿通する基礎挿通排水管２２を補修，交換したい場合には、埋設配管２６の周囲を掘り起こした後、横管４８を屋外２５側に引っ張る。すると、シールリング付きのエルボ４６と横管４８は接着されていないので、横管４８をエルボ４６から引き抜きことができる。次いで、縦管４７を縦ボイド管３８の上方に引き抜く。これにより、基礎２１を壊すことなく、基礎挿通排水管２２を容易に補修，交換することができる。
【００１６】
図４は、第１の実施形態の変形例にかかる排水管路を示す正面断面図で、図１相当図、図５は、図４に示す排水管路の施工手順を示す正面断面図で、図３相当図である。
なお、以下の実施形態および変形例において、第１の実施形態と同一または相当部分には同一符号を付してその説明を省略し、異なる部分のみ説明する。
図４および図５に示す排水管路２７ａにおいても、排水１６は、住宅１５の基礎２１の内部を挿通する基礎挿通排水管２２ａにより、屋内２３から屋外２５に導かれるようになっている。
そして、基礎挿通排水管２２ａの所定の寸法Ｂ1，Ｂ2よりそれぞれ大きい内径Ｄ1，Ｄ2を有して屋内２３と屋外２５に開口しかつ連通する貫通部３０ａを基礎２１に設けることにより、貫通部３０ａを挿通している基礎挿通排水管２２ａを補修，交換可能にしている。
【００１７】
基礎２１に設けられた貫通部３０ａは、基礎２１に形成された貫通孔３１ａと、貫通孔３１ａ内に設けられたボイド管３２ａとにより構成されている。ボイド管３２ａは、基礎挿通排水管２２ａの所定寸法Ｂ1，Ｂ2よりそれぞれ大きい内径Ｄ1, Ｄ2を有し、屋内２３と屋外２５に開口しかつ連通している。
基礎２１の貫通孔３１ａは、住宅１５の屋内２３でかつ基礎２１の上面３３に開口する縦孔３４ａと、縦孔３４ａに連通し屋外２５でかつ基礎２１の外側面３５に開口する横孔３６ａとにより構成されている。
ボイド管３２ａは、縦孔３４ａに設けられて屋内２３に開口する縦ボイド管３８ａと、横孔３６ａに設けられ、縦ボイド管３８ａに連通し屋外２５に開口する横ボイド管３９ａとにより構成されている。
この例の基礎挿通排水管２２ａは、第１の管としての横管４８ａと、第２の管としての縦管４７ａとにより構成されている。横管４８ａは、シールリング４５付きのエルボ４６が先端部に取付けられ、横ボイド管３９ａの内部に挿入離脱可能に配設されている。縦管４７ａは、縦ボイド管３８ａの内部に配設され、シールリング４５でシールされた状態でエルボ４６に係合離脱可能に係合している。
基礎挿通排水管２２ａの所定寸法Ｂ1は、エルボ４６を含んだ横管４８ａの直角方向の最大寸法であり、所定寸法Ｂ2は、縦管４７ａの外径寸法である。貫通部３０ａの内径Ｄ1は、横ボイド管３９ａの内径寸法であり、内径Ｄ2は、縦ボイド管３８ａの内径寸法である。
横孔３６ａが縦孔３４ａより大きい内径を有しているので、横孔３６ａに設けられる横ボイド管３９ａの内径Ｄ1を大きくし、縦孔３４ａに設けられる縦ボイド管３８ａの内径Ｄ2を小さくしている。
【００１８】
排水管路２７ａを施工する場合には、横管４８ａの直管５２にシールリング付きのエルボ４６を装着固定する。エルボ４６の入口側にあるシールリング４５は上方を向くようにしておく。
そして、横管４８ａを横ボイド管３９ａ内に挿入する。エルボ４６のシールリング４５側の入口部５１ａの方向と水平位置を、縦ボイド管３８ａの位置に一致させる。次いで、縦管４７ａを、縦ボイド管３８ａ内に挿入するとともにエルボ４６の入口部５１ａに装着する。
これにより、縦管４７ａとエルボ４６はシールリング４５によりシールされる。このようにして、図４に示す排水管路２７ａが構成されることになる。この排水管路２７ａにおいても、第１の実施形態の排水管路と同じ作用効果を奏する。
【００１９】
図１ないし図５に示す排水管路２７，２７ａにおいて、基礎２１の外側面３５における横管４８，４８ａと横ボイド管３９，３９ａとの間の隙間は、水密性のキャップ（たとえば、図７に示すキャップ６２）で塞いでおけば、土砂，水などが隙間に侵入するのを防止することができる。
また、基礎２１の上面３３側において、縦管４７，４７ａと縦ボイド管３８，３８ａとの間の隙間は、キャップ（たとえば、図７に示すキャップ６３）で塞いでおけば、ほこり，異物などが隙間に侵入するのを防止することができる。
また、排水管路２７，２７ａにおいて、縦ボイド管３８，３８ａの長さ寸法Ｌや横ボイド管３９，３９ａの高さ位置を任意の値に容易に調整することができる。したがって、現場での排水管路２７，２７ａの施工の際に、埋設配管２６の埋設深さＨを容易に調整することができる。
基礎挿通配水管２２，２２ａにおけるエルボ４６は、その入口部，出口部の一方にシールリング４５を有する場合を示している。
【００２０】
（第２の実施形態）
図６は、本発明の第２の実施形態にかかる排水管路２７ｂを示す正面断面図で、図１相当図、図７は、第２の実施形態の変形例にかかる排水管路２７ｃを示す正面断面図で、図１相当図である。
図６および図７に示す排水管路２７ｂ，２７ｃでは、住宅１５の基礎２１の内部を挿通する基礎挿通排水管２２ｂ，２２ｃにより、排水１６が屋内２３から屋外２５に導かれるようになっている。
そして、基礎挿通排水管２２ｂ，２２ｃの所定の寸法（ここでは、外径Ｂ3）より大きい内径Ｄ3を有して屋内２３と屋外２５に開口しかつ連通する貫通部３０ｂ，３０ｃを基礎２１に設けることにより、貫通部３０ｂ，３０ｃを挿通している基礎挿通排水管２２ｂ，２２ｃを補修，交換可能にしている。
基礎２１に設けられた貫通部３０ｂ，３０ｃは、基礎２１に形成された貫通孔３１ｂ，３１ｃと、貫通孔３１ｂ，３１ｃ内に設けられ、基礎挿通排水管２２ｂ，２２ｃの所定寸法（外径Ｂ3）より大きい内径Ｄ3を有して屋内２３と屋外２５に開口しかつ連通するボイド管３２ｂ，３２ｃとにより構成されている。
貫通部３０ｂ，３０ｃを挿通する基礎挿通排水管２２ｂ，２２ｃは、自在に曲げることが可能なフレキシブル管である。貫通部３０ｂは、基礎挿通排水管２２ｂを挿入および抜き出し可能な折曲部６０，６１を有している。
また、貫通部３０ｃは、基礎挿通排水管２２ｃを挿入および抜き出し可能な折曲部６０を有している。基礎２１の貫通孔３１ｂ，３１ｃは、屋内２３でかつ基礎２１の上面３３に開口するとともに、屋外２５でかつ基礎２１の外側面３５に開口している。
ボイド管３２ｂ，３２ｃは、ポリ塩化ビニル，ポリエチレン，ポリプロピレン，繊維強化プラスチックなど硬質の合成樹脂、または鉄など金属を材料として一体成形されているが、所定の剛性を有する紙であってもよい。
【００２１】
図６に示す貫通部３０ｂは、ほぼＳ字状（逆Ｓ字状も含む。また、Ｌ字状を複数組み合わせた形状も含む）に形成されている。ボイド管３２ｂは、フレキシブル管を使用した基礎挿通排水管２２ｂを挿入および抜き出し可能な折曲部６０，６１を有している。また、ボイド管３２ｂは、基礎２１の上面３３から横方向または斜め方向を向いた状態で、コンクリート打設のときボイド管３２ｂがコンクリートで埋まってしまわないように、若干突出しているのが好ましい。
このようにすれば、基礎挿通排水管２２ｂの入口側では、これに接続される屋内配管２４を、基礎２１の上面３３に近づけることができる。これにより、住宅１５の床下の狭いスペースに配置され高さ寸法に制約のある屋内配管２４に、所望の流れ勾配θを確保することができるので、排水１６が屋内配管２４をスムースに自然流下する。
【００２２】
図７に示す貫通部３０ｃはほぼＬ字状（逆Ｌ字状も含む。また、曲率半径の大きい湾曲状（たとえば、円弧状）のものも含む。）に形成されている。ボイド管３２ｃは、フレキシブル管を使用した基礎挿通排水管２２ｃを挿入および抜き出し可能な折曲部６０を有している。
基礎２１の外側面３５と上面３３において、基礎挿通配水管２２ｃとボイド管３２ｃとの間の隙間は、ボイド管３２ｃの開口部に装着されたキャップ６２，６３で塞がれている。埋設部には水密性のキャップ６２が使用されている。
これにより、土砂，水，ほこり，異物などが前記隙間に侵入するのを防止することができる。なお、図６に示す排水管路２７ｂにも、キャップ６２，６３を設けるのが好ましい。
【００２３】
基礎挿通排水管２２ｂ，２２ｃがフレキシブル管により構成されているので、ボイド管３２ｂ，３２ｃに対する挿入および離脱が容易である。Ｓ字状のボイド管３２ｂとＬ字状のボイド管３２ｃは、折曲部６０，６１の曲率半径が大きいので、基礎挿通排水管２２ｂ，２２ｃをボイド管３２ｂ，３２ｃに対してスムースに挿入，離脱させることができる。したがって、基礎２１を壊すことなく、基礎挿通排水管２２ｂ，２２ｃを容易に補修，交換することができる。
【００２４】
ところで、近年の建物について「スケルトン・インフィル住宅（以下、ＳＩ住宅と記載）」の考え方が提案され、集合住宅などでは既に実施され始めている。このＳＩ住宅は、住宅の基礎や躯体を長期間（たとえば、１００年程度）長持ちするように作っておき、住宅内の間仕切り等の内装については、壁を取り外して間取り等を容易に変えることができるようにしたものである。これにより、居住する人の数の変化や世代の変化などに柔軟に対応可能な住宅を提供することができる。
ＳＩ住宅では、従来からの経験上、排水管路の寿命は住宅の基礎や躯体の寿命より短いと予測されており、また、間取りを変化させて台所や洗面台など排水発生源を別の場所に移動したい場合がある。これらの場合に備えて、排水管路が住宅の基礎を壊さずに交換可能な構成になっていることが要求される。
そこで、本発明をＳＩ住宅に適用すれば、基礎の内部を挿通する既設の基礎挿通排水管２２〜２２ｃを引き抜いて、新品の基礎挿通排水管２２〜２２ｃに容易に交換することができる。これにより、ＳＩ住宅の普及および促進に貢献することができる。
なお、各図中同一符号は同一または相当部分を示す。
【００２５】
【発明の効果】
本発明は上述のように構成したので、排水管路の基礎挿通排水管が建物の基礎の内部を挿通している場合に、この基礎を壊すことなく基礎挿通排水管を容易に補修，交換することができる。また、基礎挿通排水管における管継手は、その入口部，出口部の一方にシールリングを有し、入口部，出口部の他方には第１の管が装着固定されていることから、シールリングが一箇所ですむので、容易に排水管路を構成することができ、また、長期的にみると装着固定と比較してシールに不安のあるシールリングが一箇所ですむので、排水の漏れる恐れのない優良な排水管路を構成することができる。
【図面の簡単な説明】
【図１】図１ないし図５は、本発明の第１の実施形態を示す図で、図１は第１の実施形態にかかる排水管路を示す正面断面図である。
【図２】図１のII−II線平面図である。
【図３】前記排水管路の施工手順を示す正面断面図である。
【図４】第１の実施形態の変形例にかかる排水管路を示す正面断面図で、図１相当図である。
【図５】図４に示す排水管路の施工手順を示す正面断面図で、図３相当図である。
【図６】本発明の第２の実施形態にかかる排水管路を示す正面断面図で、図１相当図である。
【図７】第２の実施形態の変形例にかかる排水管路を示す正面断面図で、図１相当図である。
【図８】従来の排水管路を示す正面断面図で、図１相当図である。
【符号の説明】
１５    住宅（建物）
１６    排水
２１    基礎
２２〜２２ｃ    基礎挿通排水管
２３    屋内
２５    屋外
２７〜２７ｃ    排水管路
３０〜３０ｃ    貫通部
３１〜３１ｃ    貫通孔
３２〜３２ｃ    ボイド管
３３    基礎の上面
３４，３４ａ    縦孔
３５    基礎の外側面
３６，３６ａ    横孔
３８，３８ａ    縦ボイド管
３９，３９ａ    横ボイド管
４５    シールリング
４６    エルボ（管継手）
４７    縦管（第１の管）
４７ａ  縦管（第２の管）
４８    横管（第２の管）
４８ａ  横管（第１の管）
６０，６１    折曲部
Ｂ1，Ｂ2      所定の寸法
Ｂ3     外径（所定の寸法）
Ｄ1〜Ｄ3      内径
【図１】
0004721528.tif 000002
【図２】
0004721528.tif 000003
【図３】
0004721528.tif 000004
【図４】
0004721528.tif 000005
【図５】
0004721528.tif 000006
【図６】
0004721528.tif 000007
【図７】
0004721528.tif 000008
【図８】
0004721528.tif 000009